(57)【特許請求の範囲】
【請求項１】
支持物を接続し、該支持物を支持するための杭基礎構造であって、
木杭と、
上端側の開口を閉塞する接続板部を備えて略筒状に形成された鋼管キャップとを備え、
前記木杭の杭頭側に前記鋼管キャップを被せて設置し、前記鋼管キャップの接続板部に前記支持物を接続して前記支持物を支持するように構成されており、
前記鋼管キャップの長さが、前記木杭の地上に配される部分と、地中の凍結深さ及び腐食の発生が予測される深さの部分と、を被覆するように設定されていることを特徴とする杭基礎構造。
【請求項２】
請求項１に記載の杭基礎構造において、
前記木杭と前記鋼管キャップの間に樹脂材を注入充填して構成されていることを特徴とする杭基礎構造。
【請求項３】
請求項１または請求項２に記載の杭基礎構造において、
前記木杭における前記鋼管キャップが取り付けられる前記杭頭側の部分が、他の下方部分よりも小径に形成されていることを特徴とする杭基礎構造。
【発明の詳細な説明】
【技術分野】
【０００１】
本発明は、杭基礎の構造に関する。
【背景技術】
【０００２】
従来、作用する荷重が比較的小さい構造物、例えば太陽電池アレイを地盤上に設置する際には、太陽電池アレイを所定の傾斜角度で支持するための支持フレーム（支持物）と、支持フレームを安定的に支持するための基礎構造とが必要である。そして、基礎構造としては、地盤が所望の耐力を備えている場合にコンクリートによる直接基礎、軟弱地盤である場合に杭基礎（例えば、特許文献１参照）が多用されている。
【０００３】
また、太陽電池アレイを設置するための基礎構造には、太陽電池アレイ、支持フレームの重量などの固定荷重の他に風荷重、積雪荷重、地震荷重など、鉛直荷重だけでなく引抜荷重が作用する。
【０００４】
そして、杭基礎を用いる場合には、作用する荷重が比較的小さくて済むため、支持フレームの鋼材を直接ボルト接合で支持杭に連結することが多く、また、引抜荷重を考慮して小口径回転圧入鋼管杭を用いることが多くなっている。
【先行技術文献】
【特許文献】
【０００５】
【特許文献１】特許第４６０１５２５号公報
【発明の概要】
【発明が解決しようとする課題】
【０００６】
ここで、杭基礎を用いる場合、泥炭層のように強度が非常に小さく、その層厚が大きくなると、支持層が深くなり大きな杭長が必要になる。また、摩擦杭を採用したとしても、強度が小さいと、やはり杭長を大きくするか、杭径を大きくせざるを得ず、さらに杭本数を増やして１本あたりの作用荷重を低減する必要が生じる。また、摩擦をとるために節付きＰＨＣ杭を使用することも考えられるが、杭径が大きくなる上、支持フレームとの確実な接合手法を確立することが求められる。
【０００７】
すなわち、泥炭層のように軟弱層厚が大きく、強度が非常に小さい地盤であると、大掛かりで過大な基礎を構築する必要が生じてしまう。このため、作用する荷重が比較的小さい構造物、例えば太陽電池アレイを設置するための基礎構造として、施工性、経済性に優れる杭基礎構造を開発することが強く望まれていた。
【０００８】
本発明は、上記事情に鑑み、施工性、経済性に優れ、軟弱地盤上に、作用する荷重が比較的小さい構造物、例えば太陽電池アレイ等を設置する際に用いて好適な杭基礎構造を提供することを目的とする。
【課題を解決するための手段】
【０００９】
上記の目的を達するために、この発明は以下の手段を提供している。
【００１０】
本発明の杭基礎構造は、支持物を接続し、該支持物を支持するための杭基礎構造であって、木杭と、上端側の開口を閉塞する接続板部を備えて略筒状に形成された鋼管キャップとを備え、前記木杭の杭頭側に前記鋼管キャップを被せて設置し、前記鋼管キャップの接続板部に前記支持物を接続して前記支持物を支持するように構成されており、前記鋼管キャップの長さが、前記木杭の地上に配される部分と、地中の凍結深さ及び腐食の発生が予測される深さの部分と、を被覆するように設定されていることを特徴とする。
【００１２】
さらに、本発明の杭基礎構造においては、前記木杭と前記鋼管キャップの間に樹脂材を注入充填して構成されていることがより望ましい。
また、本発明の杭基礎構造においては、前記木杭における前記鋼管キャップが取り付けられる前記杭頭側の部分が、他の下方部分よりも小径に形成されていることがより望ましい。
【発明の効果】
【００１３】
本発明の杭基礎構造においては、予め鋼管キャップを被せた木杭を油圧ショベルなどの建設機械を用いて地盤に打設し、鋼管キャップの接続板部に支持物を接続することで、容易に且つ好適に支持物を保持して設置することができる。
【００１４】
そして、このように木杭と鋼管キャップを備えて杭基礎構造を構成すると、例えば鋼管杭を用いた場合と比較し、所望の支持耐力を確保しつつ、杭長を大幅に短くでき、且つ大幅に施工コスト（材工）を削減することが可能になる。
【図面の簡単な説明】
【００１５】
【図１】本発明の一実施形態に係る杭基礎構造を用いて太陽電池アレイを設置した状態を示す図である。
【図２】本発明の一実施形態に係る杭基礎構造を示す図である。
【図３】本発明の一実施形態に係る杭基礎構造を示す分解斜視図である。
【発明を実施するための形態】
【００１６】
以下、図１から図３を参照し、本発明の一実施形態に係る杭基礎構造について説明する。なお、本実施形態では、本発明に係る杭基礎構造で支持する支持物が太陽電池アレイやこれを保持するための支持フレームであるものとして説明を行う。
【００１７】
すなわち、本実施形態は、図１に示すように、鋼材を組み付けて形成され、太陽電池アレイ（支持物）１を所定の角度で支持するための支持フレーム（支持物）２を接続し、この支持フレーム２及び太陽電池アレイ１を支持するための杭基礎構造Ａに関するものである。
【００１８】
言い換えれば、本実施形態は、泥炭地盤等の軟弱層が存在し強度が低い地盤Ｇ上に、太陽電池アレイ１のような作用する荷重が比較的小さい構造物（支持物）を設置する際に用いて特に好適な杭基礎構造Ａに関するものであり、その適用対象を、必ずしも太陽電池アレイ１や支持フレーム２に限定してなくてもよい。
【００１９】
具体的に、本実施形態の杭基礎構造Ａは、図１から図３に示すように、木杭３が主な構成要素とされている。
【００２０】
また、本実施形態では、この木杭３が杭頭３ａ側の所定の長さ部分に鋼管キャップ４を被せ、杭頭３ａ側を鋼管杭のようにして構成されている。鋼管キャップ４の長さＬは、地上に配される部分と、例えば地中の凍結深さ、腐食の発生が予測される深さの部分とを鋼管キャップ４で被覆できるように設定されている。
【００２１】
また、鋼管キャップ４は、円筒状の鋼管本体部４ａと鋼管本体部４ａの上端側の開口を閉塞するように取り付けられた接続板部４ｂとを備えて略筒状に形成されている。さらに、メッキ処理など、その表面を防腐処理や超撥水処理して形成されている。
【００２２】
さらに、本実施形態では、鋼管キャップ４を取り付ける木杭３の杭頭３ａ側が他の下方部分よりも小径にして形成されている。そして、鋼管キャップ４及び木杭３の杭頭３ａ側には、ボルト挿通孔５が貫通形成されており、このボルト挿通孔５に通しボルト６を挿通しナットを締結することで、木杭３に鋼管キャップ４を一体に固定して取り付けることができる。
【００２３】
また、鋼管キャップ４の天端を形成する接続板部４ｂには、例えば内面に雌ネジの螺刻を施した複数の接続孔７が穿設されており、この接続孔７にボルトを螺合させるなどして支持フレーム２の鋼材を接続できるように構成されている。
【００２４】
そして、上記のように構成した本実施形態の杭基礎構造Ａを設置する際には、鋼管キャップ４を取り付けた状態で（あるいは鋼管キャップ４を外した状態で）、木杭３を、木杭打込み用アタッチメントを取り付けた油圧ショベルなどの建設機械を用いて地盤Ｇに打設する。
【００２５】
また、地盤Ｇの所定深度まで打設した状態で、鋼管キャップ４の接続板部４ｂ側から杭基礎構造Ａの木杭３と鋼管キャップ４の間にエポキシ樹脂などの樹脂材を注入・充填する。
【００２６】
これにより、木杭３を用いた場合であっても、鋼管キャップ４によってその腐食を防止し、また凍結融解の影響を防ぐことができる。また、樹脂材を注入することで、木杭３と鋼管キャップ４の隙間をなくすことができ、且つ木杭３の杭頭３ａ側のさらなる腐食防止を図ることができる。
【００２７】
ここで、上記構成からなる本実施形態の杭基礎構造Ａと、従来の鋼管杭を泥炭地盤Ｇに打設し、同一荷重に対する耐力を確認した。この結果、杭径φ１３９．８ｍｍ、板厚３．５ｍｍ、杭長７．０ｍの先端羽根付きの鋼管杭と同等の耐力が、末口径φ１６ｃｍ、杭長５．６ｍ、鋼管キャップ（直径φ１６５．２ｍｍ、板厚４．５ｍｍ、長さ０．８ｍ）付きの本実施形態の杭基礎構造Ａで得られることが確認された。
【００２８】
したがって、本実施形態の杭基礎構造Ａにおいては、木杭３を油圧ショベルなどの建設機械を用いて地盤Ｇに打設し、鋼管キャップ４の接続板部４ｂに支持フレームなどの支持物２を接続することで、容易に且つ好適に（安定的に）太陽電池アレイ１を保持して設置することができる。
【００２９】
そして、このように木杭３と鋼管キャップ４を備えて杭基礎構造Ａを構成すると、鋼管杭を用いた場合と比較し、所望の支持耐力を確保しつつ、杭長を大幅に短くできる。さらに、施工が容易になるとともに安価な木杭３を用いることで大幅に施工コスト（材工）を削減することが可能になる。
【００３０】
以上、本発明に係る杭基礎構造の一実施形態について説明したが、本発明は上記の一実施形態に限定されるものではなく、その趣旨を逸脱しない範囲で適宜変更可能である。
【符号の説明】
【００３１】
１      太陽電池アレイ（支持物）
２      支持フレーム（支持物）
３      木杭
３ａ    杭頭
４      鋼管キャップ
４ａ    鋼管本体部
４ｂ    接続板部
５      ボルト挿通孔
６      通しボルト
７      ボルト孔
Ａ      太陽電池アレイ用杭基礎構造
Ｇ      地盤
【図１】
0006384722.tif 000002
【図２】
0006384722.tif 000003
【図３】
0006384722.tif 000004